(57)【要約】【課題】電線群をプロテクタに作業姓良く固定する。【解決手段】底壁２と、該底壁の幅方向の両端縁から突出する側壁３、４とで電線通路５を形成しているプロテクタであって、底壁２の長さ方向の先端側に電線通路を仕切る仕切壁６、７を立設し、該仕切壁を先端より外方へ延在させて電線群をテープ巻き又は締結バンドで固定するための固定片８、９を設け、前記仕切られた電線通路の底壁の開口端から固定片を突出させていないことを特徴とする。【選択図】図１
2010051064.tif 000002
【特許請求の範囲】
【請求項１】
底壁と、該底壁の幅方向の両端縁から突出する側壁とで電線通路を形成しているプロテクタであって、
前記底壁の長さ方向の先端側に電線通路を仕切る仕切壁を立設し、該仕切壁を先端より外方へ延在させて、電線群固定用の固定片を設け、前記仕切られた電線通路の底壁の開口端から固定片を突出させていないことを特徴とするワイヤハーネス用プロテクタ。
【請求項２】
前記固定片にバンド通し穴を設けており、該バント通し穴に締結バンドを通して電線群と締結し又は該固定片と電線群とに粘着テープを巻き付け、
かつ、前記固定片の両側の電線通路に電線群が挿通される場合には、両側の電線群に１本の締結バンドのバンド片を巻き付けて締結固定し、または粘着テープを前記固定片を挟んで両側の電線群の外周を連続して巻き付けて同時にテープ巻きで固定し、
また、前記固定片のいずれか一方の片側の電線通路の電線群を締結バンド粘着テープで固定している請求項１に記載のワイヤハーネス用プロテクタ。
【請求項３】
底壁と、該底壁の幅方向の両端縁から突出する側壁とで電線通路を形成しているプロテクタであって、
前記底壁の長さ方向の先端側に電線通路を仕切る仕切壁を立設していると共に、前記両側の側壁の長さ方向の先端を外方へ延在させて電線群固定用の固定片を設け、前記底壁の開口端から前記仕切壁を挟んで固定片を突出させていないことを特徴とするワイヤハーネス用プロテクタ。
【発明の詳細な説明】
【技術分野】
【０００１】
本発明はワイヤハーネス用プロテクタに関し、詳しくは、車両に配索されるワイヤハーネスを挿通保護するプロテクタにおいて、該ワイヤハーネスをプロテクタに作業性良く固定するものである。
【背景技術】
【０００２】
自動車に配索されるワイヤハーネスは、経路規制や外部干渉材から電線群を保護する目的で、樹脂成形品からなるプロテクタに挿通されている。
該プロテクタは、底壁と両側壁とで囲まれた電線群の通路を設けた略樋形状とされ、長さ方向の両端の底壁からテープ巻き舌片を突出し、該テープ巻き舌片と電線群とに粘着テープを巻き付けて電線群をプロテクタに固定している。
【０００３】
前記プロテクタ内に挿通するワイヤハーネスを構成する電線群は、異なる経路から配索されてくる電線群をプロテクタの入口部分でそれぞれ固定して内部に挿通する場合、プロテクタから異なる経路に分岐して引き出すために出口部分でそれぞれ固定する場合、プロテクタ内部で経路変更して挿通する場合、プロテクタ内部に幹線の電線群を挿入すると共に幹線から支線を分岐して引き出す場合、別工程でプロテクタ内を挿通する場合等、種々の形態がある。
【０００４】
例えば、実開平２−２６３２１号で提案されているプロテクタでは、図９に示すように、プロテクタ１００内を挿通するワイヤハーネスの幹線１０１から支線１０２を分岐させて引き出す場合、幹線１０１の出口１００ａとは別に側壁１００ｂの出口近傍に支線出口１００ｃを設け、該支線出口１００ｃにテープ巻き舌片１００ｄを設け、支線１０２とテープ巻き舌片１００ｄとに粘着テープＴを巻き付けて支線出口１００ｃに固定している。
【０００５】
前記のように、支線１０２を分岐して引き出すために、テープ巻き舌片１００ｄを備えた支線出口１００ｃを側壁１００ｂから突設して設けると、プロテクタ１００の形状が複雑化および大型化し、設置スペースの制約を受けやすくなる等の問題がある。
かつ、車種によっては支線１０２を幹線１０１から分岐しない場合もある。該場合にはプロテクタ１００を共用化すると、突出した支線出口の存在により無駄なスペースをとることとなる。
【０００６】
前記したプロテクタの側壁に支線出口に設ける代わりに、プロテクタの出口部分に仕切壁を立設して通路を分割し、各通路の出口にそれぞれテープ巻き舌片を設ける場合がある。該構成とすると、側壁に支線出口を突設するよりプロテクタの小型化が図れる利点がある。
【０００７】
例えば、図１０（Ａ）（Ｂ）に示すように、異なる配索経路をとる第１電線群１２０と、第２電線群１２１とをプロテクタ１３０に通す場合、プロテクタ１３０の出入口にそれぞれ仕切壁１３０ａ、１３０ｂを底壁１３０ｃから立設して、２つの分割した電線通路１３１と１３２を設けている。また、各通路毎に出入口に底壁の開口端からテープ巻き舌片１３１ａと１３１ｂ、１３２ａと１３２ｂを隣接して並ぶように突設している。
【０００８】
このように、入口側でテープ巻き舌片１３１ａ、１３２ａが隣接して並び、出口側でもテープ巻き舌片１３１ｂ、１３２ｂが隣接して並ぶと、一方にテープ巻き作業する際、他方が干渉して非常にやりにくくなる。特に、一方のテープ巻き舌片にワイヤハーネス組立時に電線群を通してテープ巻きし、他方には自動車組立ラインで電線群を挿通してテープ巻きする場合等、テープ巻き作業が別工程でなされる場合、先にテープ巻きされている部分が後からのテープ巻き作業時に干渉して、巻き付けが非常に困難となる。
【０００９】
また、図１０（Ｃ）に示すように、車種によっては、一方の通路１３１にのみ第１電線群１２０を挿通し、通路１３２には第２電線群１２１を挿通しない場合がある。
さらに、図１０（Ｄ）に示すように、通路１３１に挿入し、中間位置で経路変更して通路１３２から引き出す場合もある。
図１０（Ｃ）（Ｄ）に示すように、並列する２つのテープ巻き舌片のうち、一方のテープ巻き舌片とのみに電線群をテープ巻きする場合、他方のテープ巻き舌片は不要となり、かつ、不要であるがテープ巻き舌片が並んでいるため、一方のテープ巻き舌片へのテープ巻き作業がやりにくい問題がある。
【００１０】
【特許文献１】実開平２−２６３２１号
【発明の開示】
【発明が解決しようとする課題】
【００１１】
本発明は前記問題に鑑みてなされたもので、プロテクタ内に仕切壁を設けて通路を分割している場合に、各通路の底壁からテープ巻き舌片を並べて突設することなしに、両方の通路に電線群を挿通する場合、いずれか一方の通路に電線群を挿通する場合、別工程で両方の通路に電線群を挿通する場合など、種々の形態に対応できワイヤハーネスのプロテクタへの固定作業が容易に出来るようにすることを課題としている。
【課題を解決するための手段】
【００１２】
前記課題を解決するため、本発明は、底壁と、該底壁の幅方向の両端縁から突出する側壁とで電線通路を形成しているプロテクタであって、
前記底壁の長さ方向の先端側に電線通路を仕切る仕切壁を立設し、該仕切壁を先端より外方へ延在させて、電線群固定用の固定片を設け、前記仕切られた電線通路の底壁の開口端から固定片を突出させていないことを特徴とするワイヤハーネス用プロテクタを提供している。
【００１３】
前記のように、本発明のプロテクタは、電線通路を仕切る仕切壁を利用し、該仕切壁をプロテクタの長さ方向先端から外方に突出させて延在し、テープ巻き舌片あるいは締結バンド用取付片となる固定片を設けている。
前記固定片を締結バンド用取付片とする場合は、バンド通し穴を設け、該バント通し穴に締結バンドを通して電線群と締結している。テープ巻きする場合は、固定片と電線群とを粘着テープを巻き付けて取り付けている。
【００１４】
本発明のプロテクタでは、両側の電線通路に電線群が挿通される場合には、両側の電線群に１本の締結バンドのバンド片を巻き付けて締結固定し、または粘着テープを前記固定片を挟んで両側の電線群の外周を連続して巻き付けて同時にテープ巻きで固定し、
また、前記固定片のいずれか一方の片側の電線通路の電線群を締結バンド粘着テープで固定している。
【００１５】
このように、本発明では、プロテクタの底壁からテープ巻き舌片からなる固定片を隣接して並べておらず、仕切壁により分割された通路の境界位置に仕切壁を延在させて形成した固定片を設けている。両側通路の境界位置から固定片が突出するため、両側の通路に挿通させる電線群を１つの固定片を用いて固定でき、かつ、いずれか一方の通路にのみ電線群を挿通させる場合にも、該固定片を用いて電線群を固定することができる。
また、従来の底壁から並べてテープ巻き舌片を突設する場合に生じるテープ巻き作業のやりにくさを解消できる。
【００１６】
なお、プロテクタは１つの仕切壁により２つの通路に分割する場合に限定されず、２つの仕切壁を設けて３つの通路に分割する場合、さらに、３つの仕切壁を設けて４つの通路の分割する場合等においても、仕切壁を開口端から延長して固定片とすれば良い。
【００１７】
さらに、本発明は、底壁と、該底壁の幅方向の両端縁から突出する側壁とで電線通路を形成しているプロテクタであって、
前記底壁の長さ方向の先端側に電線通路を仕切る仕切壁を立設していると共に、前記両側の側壁の長さ方向の先端を外方へ延在させて固定片とし、前記底壁の開口端から前記仕切壁を挟んで固定片を突出させていないことを特徴とするワイヤハーネス用プロテクタを提供している。
【００１８】
前記構成のプロテクタでは、固定片は両側の側壁を突設して設けているため、両側の固定片は離れて位置し、一方の固定片に電線群をテープ巻きまたは締結バンドを巻き付けて固定する作業時に、他方の固定片は干渉せず、作業性良く電線群を固定することができる。
なお、前記固定片は側壁のみから突設した平板状としても良いし、該側壁に沿った底壁の隅部も延在させ、断面Ｌ形状の固定片としてもよい。この場合にも、底壁から突設させる部分は寸法をあけているため、一方の固定片へのワイヤハーネス取り付け時に他方側の固定片が邪魔になることはない。
【００１９】
本発明のいずれのプロテクタにおいても、仕切壁は底壁の長さ方向の両側に立設し、該両側の仕切壁に前記固定片を突設して設け、かつ、底壁の中央部分には仕切壁を設けずに電線群の通路変更を可能としていることが好ましい。
また、前記プロテクタには、上面開口を閉鎖する蓋を被せても良いし、プロテクタの外周にテープを巻き付けて、上面をテープで覆い、プロテクタ内部に収容した電線群の飛び出しを巻き付けたテープで防止してもよい。
蓋を設ける場合には、前記プロテクタと一体に樹脂成形し、薄肉ヒンジ部を介して蓋を連結しても良いし、蓋は別体として成形してもよい。
【発明の効果】
【００２０】
上述したように、本発明の通路分割する仕切壁を設けたプロテクタにおいて、通路毎に底壁の開口端からテープ巻き舌片を突設する代わりに、仕切壁を開口端から外方へ延在させて固定片としているため、両側の通路に電線群を挿通する場合、いずれか一方の通路にのみ電線群を挿通する場合において、該固定片を用いて電線群をテープ巻き又は締結バンドで固定する際に、作業性良くプロテクタに固定することができる。
【００２１】
また、側壁を延在させて固定片を突設する場合には、側壁間は比較的大きな寸法があいているため、一方の固定片への電線群の取り付け時に、他方の固定片が邪魔になることを防止できる。
【発明を実施するための最良の形態】
【００２２】
以下、本発明のプロテクタの実施形態を図面を参照して説明する。
図１乃至図５に第一実施形態のプロテクタを示す。
【００２３】
プロテクタ１は樹脂成形品からなり、図１（Ａ）（Ｂ）に示すように、底壁２と、該底壁２の幅方向の両端縁から突出する側壁３、４とで電線通路５を形成しており、長さ方向Ｌが長い樋形状としている。
底壁２の長さ方向Ｌの両端側に電線通路５を仕切る仕切壁６、７を立設している。プロテクタ１の入口Ｘの仕切壁６で、電線通路５を第一入口側通路５Ａ、第二入口側通路５Ｂに分割している。出口Ｙの仕切壁７で、電線通路５を第一出口側通路５Ｃ、第二出口側通路５Ｄに分割している。プロテクタの長さ方向の中間部では仕切壁６、７を設けずに経路変更通路５Ｅとしている。
【００２４】
前記仕切壁６、７は入口Ｘ、出口Ｙの両方で底壁先端より外方に延在させて突出し、入口側の固定片８、出口側の固定片９としている。これら固定片８、９の突出量Ｓ１は巻き付ける粘着テープ１０の幅Ｓ２以上とし、本実施形態では２０ｍｍとしている。該固定片８、９は樹脂成形時に一体成形で設けている。
【００２５】
また、固定片８、９には締結バンドで電線群を取り付ける場合も利用できるように、バンド通し穴８ａ、９ａを設けている。
【００２６】
本実施形態のプロテクタ１は上面開口を閉鎖する蓋を設けずに、電線群を通した後にプロテクタ１の外周に粘着テープを巻き付けて、電線通路５に通した電線群が上面開口から飛び出さないようにしている。
なお、蓋付きとし、プロテクタ１の一方の側壁３または４に薄肉ヒンジ部を介して一体成形しても良いし、蓋を別体で設けてプロテクタ１に被せて結合してもよい。
【００２７】
前記プロテクタ１は、図２〜図５に示す電線群の配索のいずれにも対応でき、前記固定片８、９を用いて、電線群をプロテクタ１に固定することができる。
【００２８】
図２（Ａ）〜（Ｃ）では、第一入口側通路５Ａから挿入し、経路変更せずに、第一出口側通路５Ｃより引き出す第一電線群２０と、第二入口側通路５Ｂから挿入し、経路変更せずに第二出口側通路５Ｄより引き出す第二電線群２１とをプロテクタ１に挿通している。
この場合、第一電線群２０と第二電線群２１とは入口Ｘ側で固定片８を挟んで配置し、粘着テープＴをこれら第一電線群２０、固定片８、第二電線群２１の外周に連続して巻き付けて、プロテクタ１に第一、第二電線群２０、２１を同時にテープ巻き固定している。出口Ｙ側でも同様として、固定片９を挟んで、第一、第二電線群２０、２１を粘着テープＴを連続して巻き付けて同時に固定している。
【００２９】
第一電線群２０がワイヤハーネス組立工場でプロテクタ１に通されて、第二電線群２１が自動車組立工場でプロテクタ１に通され、別工程でプロテクタへ電線群をテープ巻きで固定する必要がある。この場合、図２（Ｃ）に示すように、第一電線群２０と固定片８に巻き付けた粘着テープＴ１の外周に、第二電線群２１に巻き付ける粘着テープＴ２を巻き付けている。このように粘着テープＴ２を巻き付けると、後工程の電線群のテープ巻き作業が容易となる。
【００３０】
図３（Ａ）では、第一電線群２０のみを第一入口側通路５Ａと出口側通路５Ｃに挿通し、第二電線群２１はプロテクタ１に通していない。この場合、該第一電線群２０のみを入口Ｘ、出口Ｙで固定片８、９の片面にそれぞれ押し当てて粘着テープＴを巻き付けて固定している。
第二電線群２１のみをプロテクタ１に挿通し、第一電線群２０を挿通していない場合も同様である。
【００３１】
図３（Ｂ）では、図３（Ａ）と同様に、第一電線群２０のみを挿通しているが、第一入口側通路５Ａを通し、経路変更部５Ｅで経路変更し、第二入口側通路５Ｄから引き出している。この場合も、入口Ｘでは固定片８の図中左面に第一電線群２０を押し当てて粘着テープＴを巻き付けて固定し、出口Ｙでは固定片９の図中右面に第一電線群２０を押し当てて粘着テープＴを巻き付けて固定している。
第二電線群２１を第二入口側通路５Ｂを通し経路変更して第一出口側通路５Ｃから引き出す場合も同様である。
【００３２】
図４（Ａ）では、第一電線群２０と第二電線群２１の両方を経路変更部５Ｅで経路変更しており、この場合は、図２と同様に、入口Ｘおよび出口Ｙで固定片８、９を挟んで両側の第一、第二電線群２０、２１を１回の粘着テープの巻き付けで同時に固定している。
【００３３】
図４（Ｂ）では、第一電線群２０を第一入口側通路５Ａに通し、経路変更部５Ｅで分岐させ、一方の分岐線２０ａを第一出口側通路５Ｃから引き出し、他方の分岐線２０ｂを第二出口側通路５Ｄから引き出している。この場合、入口Ｘでは固定片８の図中左側に押し上げて粘着テープＴを巻き付けて固定し、出口Ｙでは固定片９を挟んで両側の分岐線２０ａ、２０ｂを配置し、連続して粘着テープＴを巻き付けて同時に固定している。
【００３４】
図５（Ａ）（Ｂ）は、粘着テープＴを用いず、締結バンド２５を用いて固定している。  締結バンド２５は、係止穴を設けた締結部２５ａの一面側から鋸歯状の係止溝を設けたバンド片２５ｂが突設し、該バンド片２５ｂを締結部２５ａの係止穴に通し、係止穴の内面から突設した係止片を前記係止溝に係止して締結固定する汎用品からなる。
該締結バンド２５のバンド片２５ｂを固定片８、９に設けているバンド通し穴８ａ、９ａに通し、電線群に巻き付けた後に締結部２５ｂにバンド片２５ａを通して係止固定している。
【００３５】
図５（Ａ）では、固定片８（９）に第一電線群２０と第二電線群２１とをバンド片２５ｂを連続的に巻き付けて、同時に締結バンド２６で締結している。
図５（Ｂ）では、固定片８（９）に第一電線群２０のみ（あるいは第二電線群２１のみ）を片面に押し当て、締結バンド２５で締結固定している。
【００３６】
このように、電線通路の境界に位置する仕切壁６、７を外方に延在させて固定片８、９を設けることにより、従来は各通路の入口、及び出口にそれぞれ底壁から隣接して突設していた２つのテープ巻き舌片を、入口Ｘ、出口Ｙにおいてそれぞれ境界に位置する１つの固定片８、９を設ければ良いだけとなる。また、テープ巻き時または締結バンドのバンド片の巻付時に、隣接する他の電線群巻付片が無いため、巻付作業姓を高めることができる。
【００３７】
図６（Ａ）（Ｂ）に第一実施形態の変形例を示す。
変形例のプロテクタ１では、図６（Ａ）に示すように、出口Ｙ側では、底壁２から間隔をあけて２つの仕切壁７−１、７−２を突設し、電線通路５の出口側で３つの出口側通路５Ｌ、５Ｍ、５Ｎに分けている。
この場合も、２つの仕切壁７−１、７−２をそれぞれ延在して固定片９Ｍ、９Ｎを突設している。
【００３８】
各出口側通路５Ｌ、５Ｍ、５Ｎに電線群２２、２３、２４を通す場合、図６（Ｂ）に示すように、固定片９Ｍと９Ｎに挟まれた出口側通路５Ｍの電線群２３と、固定片９Ｍ、９Ｎの他面側の出口側通路５Ｌ、５Ｎの電線群２２、２４との３組の電線群を、固定片９Ｍ、９Ｎを含めて、粘着テープＴを連続して巻き付け、１回の巻き付け作業で３組の電線群２２〜２４をプロテクタに固定している。
隣接する出口側通路５Ｌと５Ｍまたは５Ｍと５Ｎに２組の電線群を通す場合には、第一実施形態と同様に２組の電線群を粘着テープの１回の巻き付け作業で固定片９Ｍまたは９Ｎも固定している。
なお、入口側にも複数の仕切壁を突設し、これら仕切壁からそれぞれ固定片を突設しても良いことは言うまでもない。
【００３９】
図７（Ａ）〜（Ｃ）に第二実施形態を示す。
第二実施形態のプロテクタ３０と前記第一実施形態のプロテクタ１との相違点は、第二実施形態では仕切壁６、７より固定片を突設させず、側壁３、４を外方に延在させて突出し、入口Ｘ側に固定片３１、３２、出口Ｙ側に固定片３３、３４としている点である。
他の構成は第一実施形態と同一符号を付して説明を省略する。
【００４０】
本第二実施形態では、図７（Ｃ）に示すように、第一電線群２０は入口Ｘ、出口Ｙでそれぞれ固定片３１、３３と粘着テープＴを巻き付けて固定している。第二電線群２１も同様に固定片３２、３４とテープ巻きしている。このように、テープ巻き作業は各電線群毎に行われ、テープ巻き作業回数を減少していないが、側壁３、４を延在して設ける固定片３１と３２、３３と３４の間の寸法Ｓ３は大きいため、テープ巻き作業時に干渉しない。
【００４１】
なお、図８に示すように、側壁３（４）に近接部分の底壁２にも突出部２００を設け、Ｌ形状の固定片３１Ａ（〜３４Ａ）としてもよい。
さらに、前記固定片３１Ａ〜３４Ａに、第一実施形態と同様に、締結バンド取付用の通し穴３１Ａｈ（〜３４Ａｈ）を設けてもよい。
【図面の簡単な説明】
【００４２】
【図１】本発明の第一実施形態のプロテクタを示し、（Ａ）は概略斜視図、（Ｂ）は平面図である。
【図２】前記プロテクタへの電線群の配線形態を示し、（Ａ）は平面図、（Ｂ）（Ｃ）は断面図である。
【図３】（Ａ）（Ｂ）は前記プロテクタへの電線群の他の配線形態を示す平面図である。
【図４】（Ａ）（Ｂ）は前記プロテクタへの電線群の他の配線形態を示す平面図である。
【図５】（Ａ）（Ｂ）は前記プロテクタに電線群を締結バンドで固定している状態を示す断面図である。
【図６】第一実施形態の変形例を示し、（Ａ）は平面図、（Ｂ）は断面図である。
【図７】第二実施形態を示し、（Ａ）は平面図、（Ｂ）は要部斜視図、（Ｃ）は電線群の固定状態を示す一部平面図である。
【図８】第二実施形態の変形例の要部斜視図である。
【図９】従来例の斜視図である。
【図１０】（Ａ）〜（Ｄ）は他の従来例を示す図面である。
【符号の説明】
【００４３】
１  プロテクタ
２  底壁
３、４  側壁
５  電線通路
６、７  仕切壁
８、９  固定片
８ａ、９ａ  締結バンドの通し穴
２０  第一電線群
２１  第二電線群
２５  締結バンド
【図１】
2010051064.tif 000003
【図２】
2010051064.tif 000004
【図３】
2010051064.tif 000005
【図４】
2010051064.tif 000006
【図５】
2010051064.tif 000007
【図６】
2010051064.tif 000008
【図７】
2010051064.tif 000009
【図８】
2010051064.tif 000010
【図９】
2010051064.tif 000011
【図１０】
2010051064.tif 000012